【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
光入射側に互いに所定の角度をなすように形成された第１面及び第２面を有するスクリーンに蒸着により反射層を形成する蒸着装置であって、
前記スクリーンを支持する支持部材と、
前記第１面に対向配置され、蒸着材料を蒸発させて前記第１面に前記反射層を形成する蒸発源とを備える
ことを特徴とする蒸着装置。
【請求項２】
請求項１に記載の蒸着装置において、
前記支持部材は、前記スクリーンを鉛直方向に沿って、前記第１面が鉛直方向先端側を向くように支持し、
前記蒸発源は、前記支持部材により支持された前記スクリーンの鉛直方向先端側に配置されている
ことを特徴とする蒸着装置。
【請求項３】
請求項１または請求項２に記載の蒸着装置において、
前記支持部材により支持された前記スクリーンを、前記第１面及び前記第２面が配列される所定の方向に沿う回転軸を中心として回動させる回動手段を備える
ことを特徴とする蒸着装置。
【請求項４】
請求項１から請求項３のいずれかに記載の蒸着装置において、
前記所定の方向に沿って前記蒸発源を移動させる移動機構を備える
ことを特徴とする蒸着装置。
【請求項５】
請求項１から請求項４のいずれかに記載の蒸着装置において、
前記支持部材により支持された前記スクリーンと前記蒸発源との間に介装され、前記蒸発源により蒸発された前記蒸着材料を遮蔽して、前記蒸着材料を前記第１面に略均一に付着させる遮蔽部材を備える
ことを特徴とする蒸着装置。
【請求項６】
請求項１から請求項５のいずれかに記載の蒸着装置において、
前記第１面及び前記第２面は、互いに交差し、かつ、鉛直方向に沿って交互に形成されている
ことを特徴とする蒸着装置。
【手続補正２】
【補正対象書類名】明細書
【補正対象項目名】０００７
【補正方法】変更
【補正の内容】
【０００７】
本発明の蒸着装置は、光入射側に互いに所定の角度をなすように形成された第１面及び第２面を有するスクリーンに蒸着により反射層を形成する蒸着装置であって、前記スクリーンを支持する支持部材と、前記第１面に対向配置され、蒸着材料を蒸発させて前記第１面に前記反射層を形成する蒸発源とを備えることを特徴とする。
【手続補正３】
【補正対象書類名】明細書
【補正対象項目名】０００８
【補正方法】変更
【補正の内容】
【０００８】
本発明によれば、スクリーンに反射層を形成する蒸発源が、当該スクリーンに形成された第１面及び第２面のうち、第１面に対向するように設けられているので、例えば、前述した第１面及び第２面を有するスクリーンにおける当該第１面に反射層を形成しやすくすることができるとともに、第２面に反射層を形成しにくくすることができる。すなわち、画像光が入射される第１面に対してのみ、蒸着材料を付着させることができる。従って、スクリーンの適切な箇所に反射層を形成することができ、このようなスクリーンを用いることにより、蛍光灯等の外光が、第２面や観察者に向かって反射することを防止でき、ひいては視認される画像光のコントラストの低下を抑制することができる。
【手続補正４】
【補正対象書類名】明細書
【補正対象項目名】０００９
【補正方法】変更
【補正の内容】
【０００９】
本発明では、前記支持部材は、前記スクリーンを鉛直方向に沿って、前記第１面が鉛直方向先端側を向くように支持し、前記蒸発源は、前記支持部材により支持された前記スクリーンの鉛直方向先端側に配置されていることが好ましい。
本発明によれば、鉛直方向に沿って配置されたスクリーンに対して、蒸発源が鉛直方向先端側、すなわち、下側に位置している。ここで、蒸発源により蒸発した蒸着材料は、当該蒸発源から上方に向かって進行するので、電子銃等を用いることなく、第１面及び第２面のうち、蒸発源に対向する第１面に、当該蒸発源によって蒸発した蒸着材料を付着させることができる。従って、蒸着装置の構成を簡略化することができる。
【手続補正５】
【補正対象書類名】明細書
【補正対象項目名】００１０
【補正方法】変更
【補正の内容】
【００１０】
本発明では、前記支持部材により支持された前記スクリーンを、前記第１面及び前記第２面が配列される所定の方向に沿う回転軸を中心として回動させる回動手段を備えることが好ましい。
本発明によれば、支持部材が、回動手段により前記所定の方向に沿う回転軸を中心として回転するため、前述したスクリーンにおいて第１面及び第２面が前記所定の方向に直交する方向に沿ってそれぞれ形成されている場合に、当該第１面のみが、蒸発源と常時、対向する位置となる。これによれば、第１面にのみ蒸着材料を付着させて反射層を形成でき、蒸発源からの蒸着材料をむら無くスクリーンに付着させることができる。また、回動手段の回転により、スクリーンが搬送される場合には、当該スクリーンに連続して反射層を形成することができるので、スクリーンの生産性を向上することができる。
【手続補正６】
【補正対象書類名】明細書
【補正対象項目名】００１２
【補正方法】変更
【補正の内容】
【００１２】
本発明では、前記支持部材により支持された前記スクリーンと前記蒸発源との間に介装され、前記蒸発源により蒸発された前記蒸着材料を遮蔽して、前記蒸着材料を前記第１面に略均一に付着させる遮蔽部材を備えることが好ましい。
本発明によれば、遮蔽部材により、蒸発源で蒸発された蒸着材料のスクリーンへの付着範囲が制限されるので、蒸発源に近い位置にあるスクリーンに蒸着材料が付着することを抑制でき、反射層の膜厚を小さくできる。従って、蒸発源から近い位置での膜厚と遠い位置での膜厚とを略均一にできる。
本発明では、前記第１面及び前記第２面は、互いに交差し、かつ、鉛直方向に沿って交互に形成されていることが好ましい。
【手続補正７】
【補正対象書類名】明細書
【補正対象項目名】００１８
【補正方法】変更
【補正の内容】
【００１８】
坩堝４は、図２に示すように、内部に蒸着材料を充填する容器４１と、容器４１の下部に設けられるヒータ４２とを備え、容器４１はヒータ４２により加熱される。このようにして、蒸発された蒸着材料は、坩堝４の上方に形成された開口を介してスクリーン７に下方から付着され、これによりスクリーン７に後述する反射層７２１が形成される。
この坩堝４は、前述のように、移動機構２３によって支持され、鉛直方向に沿って上下に移動する。坩堝４の設置位置は、スクリーン７の大きさや形状等に応じて設定されるが、蒸着材料をスクリーン７に対して斜め下方から付着させるため、当該スクリーン７の斜め下方に設置される。なお、蒸着材料は、本実施形態では、アルミニウム等の金属片が採用されているが、これに限らず、他の材料であってもよい。
【手続補正８】
【補正対象書類名】明細書
【補正対象項目名】００１９
【補正方法】変更
【補正の内容】
【００１９】
このような坩堝４とスクリーン７との間には、遮蔽板４３が摺動自在に設けられている。ここで、坩堝４により蒸発された蒸着材料は、スクリーン７の後述する第１面としての傾斜面７２に向かって進行して、当該スクリーン７に付着する。しかしながら、蒸着材料は、スクリーン７において坩堝４から近い位置に付着しやすいため、当該坩堝４に近い位置の膜厚は、坩堝４から遠い位置の膜厚よりも厚くなる。そのため、遮蔽板４３を進退させることで、坩堝４に近い位置に対して付着する蒸着材料の量を減少させることで、坩堝４より遠い位置の膜厚との差を少なくする。
【手続補正９】
【補正対象書類名】明細書
【補正対象項目名】００２０
【補正方法】変更
【補正の内容】
【００２０】
[スクリーンの構成]
図３は、蒸着装置１で蒸着材料が付着されたスクリーン７の一部を破断した図である。
蒸着装置１により反射層が形成されるスクリーン７は、画像光を斜め下方から近接投射するプロジェクタ（図示略）に用いられるものである。
このスクリーン７の光入射側には、当該スクリーン７を鉛直方向に沿って壁等に配置した際に、それぞれ水平方向に沿って延出し、かつ、互いに鉛直方向に沿って交互に形成された第２面としての水平面７１及び傾斜面７２が形成され、これらにより光入射側の面は断面視略鋸歯状に形成されている。
【手続補正１０】
【補正対象書類名】明細書
【補正対象項目名】００３４
【補正方法】変更
【補正の内容】
【００３４】
１…蒸着装置、４…坩堝（蒸発源）、６…モータ（回動手段）、７…スクリーン、２３…移動機構、３３…冷却ロール（支持部材）、３５…回転軸、４３…遮蔽板（遮蔽部材）、７１…水平面（第２面）、７２…傾斜面（第１面）、７２１…反射層。